(57)【要約】【課題】シート状の広告体を垂下させて設ける構造において、その広告体が風で捲れ上がるのを、簡単な構造改良でもって未然に防止できるようにする。【解決手段】シート状の広告体（１）の捲れ防止具であって、支持枠体（２）の裏面に位置され、その上部（８Ａ）が前記支持枠体（２）の上辺部（２Ｈ）に着脱自在にネジで固定され、その下部（８Ｂ）が前記広告体（１）の下側部（１Ｂ）に着脱自在に弾性嵌合によって係止される可撓性のあるシート状補強ガイド体（８）からなる。【選択図】図６
0003165986.tif 000002
【実用新案登録請求の範囲】
【請求項１】
自動販売機の上に設置された支持枠体２に、その上側部（１Ａ）が着脱自在に固定されて垂下されたシート状の広告体（１）の捲れ防止具であって、
前記支持枠体（２）の裏面に位置され、その上部（８Ａ）が前記支持枠体（２）の上辺部（２Ａ）に着脱自在にネジで固定され、その下部（８Ｂ）が前記広告体（１）の下側部（１Ｂ）に着脱自在に弾性嵌合によって係止される可撓性のあるシート状補強ガイド体（８）からなる、
ことを特徴とするシート状広告体の捲れ防止具。
【請求項２】
前記広告体（１）の下側部（１Ｂ）に保持部材（９）が設けられ、前記補強ガイド体（８）の下部（８Ｂ）には、弾性挟持可能な略Ｕ字状の挟持部（８Ｆ）が備えられており、前記保持部材（９）を挟持できるように構成されていることを特徴とする請求項１に記載のシート状広告体の捲れ防止具。
【請求項３】
前記シート状補強ガイド体（８）が、ポリカーボネイトのシート状体で帯状に形成されていることを特徴とする請求項１又は請求項２に記載のシート状広告体の捲れ防止具。
【考案の詳細な説明】
【技術分野】
【０００１】  本考案は、自動販売機用の広告体取り付け具に関し、詳しくは、自動販売機の上に設置する公告体の捲れを防止するシート状広告体の捲れ防止具に関する。
【背景技術】
【０００２】  自動販売機は、それ自体、飲料水やタバコ、その他の小型物品を自動的に購入できる機能を有するが、それ故に、購買者が常にその存在、設置に注目しているものであり、街中（野外）は勿論、屋内設置であっても注目度が高い。
従って、自動販売機に広告媒体としての価値が存在するのであり、これに注目して、自動販売機を一種の広告塔として利用することが提案されている。【０００３】  本考案者も、自動販売機の上に設置する広告体を既に提案している。こうした自動販売機の上に設置する広告体は、その設置手段に工夫が必要であり、単に自動販売機の上部に載置するだけでは、倒れてしまう虞があり、また、風の影響を受けることで飛ばされてしまう事態も生じる。
【先行技術文献】
【特許文献】
【０００４】
【特許文献１】実用新案登録第３１４９３７２号
【考案の概要】
【考案が解決しようとする課題】
【０００５】  上記特許文献１では、広告体を自動販売機の上部に載置させるサイズに構成すると共にその底部に重量のある底板を供え、載置したときに容易に倒伏しないように構成したものである。
この際、上述の広告体は、一般に合成樹脂シートで構成されているが、布、不織布、機能性紙など適宜の素材で構成される。勿論、この広告体は、その表面に所要の広告が印刷されている。【０００６】  ところで、自動販売機の上に設置する広告体の取り付け具として、前記広告体を設けるために前記自動販売機の上面に設置される支持枠体を設けることになるが、この場合、シート状の広告体を前記支持枠体に取り付ける構造として、本考案者は、少なくとも起立する矩形の縦枠体と、横臥する矩形の底枠体とからなる構成を考えた。図６及び図７に示すように、こうした支持枠体２に、シート状の広告体１を、着脱可能に、その上部を固定して垂下させるようにしたが、この場合、垂下された広告体１は、背後（自動販売機の裏面側）又は前面側から強い風が吹くと、容易に捲れ上がって、図７に示すように、その下端部側の保持部材９が、前記支持枠体２の上部に絡まってしまい、元の状態（垂下状態）に戻ってこないという事態が発生していた。【０００７】  本考案は、かかる現状に鑑み、既設の自動販売機の上に設置された支持枠体に、シート状の広告体を垂下させて設ける構造において、その広告体が風で捲れ上がるのを、簡単な構造改良でもって未然に防止できるようにすることを目的とする。
【課題を解決するための手段】
【０００８】  本考案にかかるシート状広告体の捲れ防止具は、自動販売機の上に設置された支持枠体２に、その上側部（１Ａ）が着脱自在に固定されて垂下されたシート状の広告体（１）の捲れ防止具であって、前記支持枠体（２）の裏面に位置され、その上部（８Ａ）が前記支持枠体（２）の上辺部（２Ｈ）に着脱自在にネジで固定され、その下部（８Ｂ）が前記広告体（１）の下側部（１Ｂ）に着脱自在に弾性嵌合によって係止される可撓性のあるシート状補強ガイド体（８）からなる、ことを特徴とする。
【考案の効果】
【０００９】  本考案によれば、着脱可能なシート状の広告体（１）を垂下させて取り付ける場合、可撓性のあるシート状補強ガイド体（８）を広告体（１）に係止させることで、背後からの強風によって広告体（１）が捲れあがって、その支持枠体（２）に乗り上げ、原状の垂下状態に復元できない事態を未然に回避することができ、しかも、前記シート状補強ガイド体（８）が可撓性を有することで、強風時には復元可能な範囲で容易に撓み、広告体（１）を変形させて風を前方に逃がす作用を発現できるので、強風によって広告体（１）の支持枠体（２）が変形したり、倒れたりするのを防止でき、常に広告体としての機能を発揮できるという利点がある。【００１０】  また、請求項２に記載のように、前記広告体（１）の下側部（１Ｂ）に保持部材（９）が設けられ、前記補強ガイド体（８）の下部（８Ｂ）には、弾性挟持可能な略Ｕ字状の挟持部（８Ｆ）が備えられている構造を採用した場合には、前記保持部材（９）を挟持できるので、広告体（１）の取り替えに際しては、容易に取り外しができる。【００１１】  更に、請求項３に記載のように、前記シート状補強ガイド体（８）が、ポリカーボネイトのシート状体で帯状に形成されている構造を採用した場合には、風に対する十分な撓みを得ながら、補強機能を発揮できて、軽量であるのでシート状の広告体（１）の負担にならず、取り扱いが容易である。
【図面の簡単な説明】
【００１２】
【図１】本考案のシート状広告体の捲れ防止具を設置した状態の全体を示す正面図。
【図２】その側面図。
【図３】その広告体の背面図。
【図４】その取り付け要部の拡大図。
【図５】そのスライド嵌合部の拡大縦断側面図。
【図６】その捲れ防止具の取り付け状態を示す分解斜視図。
【図７】従来技術を示す捲れ状態の作用説明図。
【考案を実施するための形態】
【００１３】  本考案にかかる自動販売機用の広告体取り付け具の好適実施例を図面に基づいて以下詳述する。
図１に示すのは、本考案にかかる自動販売機用の広告体を設置した状態の概略正面図であり、図２は、その側面図、図３は、広告体部の背面図、図４は、取り付け要部の拡大図、図５は、スライド嵌合部の拡大縦断側面図、図６は、捲れ防止具の斜視図である。
尚、図２及び図３は、後述する捲れ防止具を、便宜上省略した状態で描いている。
【００１４】  この広告体取り付け具は、広告体１を設けるために自動販売機１０の上面に設置される支持枠体２と、前記自動販売機の左右側面と底面とに掛け渡される固定枠体３とからなり、前記支持枠体２には、前記自動販売機の上部裏面にネジ５Ａ（ここではボルト）によって着脱自在に固定するための固定金具４が設けられ、更に、前記支持枠体２には、その左右方向に長さ調節自在に位置固定できる連結部材６，６が夫々ネジ５Ｂにより固定されており、前記連結部材６，６の外端部に、前記固定枠体３が連結解除自在に連結固定されているものである。前記支持枠体２は、ここではアルミ合金材で構成され、固定枠体３は、アルミ材、鋼材で構成されているが、強度があれば合成樹脂等の適宜の素材に置換してよい。
【００１５】  上記支持枠体２は、起立する矩形の縦枠体２Ａと、横臥する矩形の底枠体２Ｂと、側面視で前記縦枠体２Ａの中ほどと前記底枠体とに渡されて三角形を呈する支え枠２Ｃと、前記縦枠体２Ａの縦方向中ほどで、左右方向（幅方向）に掛け渡された支持桟２Ｄとから構成されている。そして、上記広告体１は、ここでは、合成樹脂シートで構成されているが、布、不織布、機能性紙など適宜の素材で構成される。この実施例では、柔らかな素材であり、広告体１が支持枠体２の上部にのみ固定されていて、背後から風が当たると下方から揺れて風を逃がすように構成されている。勿論、この広告体１は、その表面に所要の広告が印刷されている。
【００１６】  上述した前記自動販売機１０の上部裏面にネジ５Ａで支持枠体２を止めるのは、自動販売機背面には、本来設置箇所のベース、例えば、壁面、柱等に自動販売機１０を固定するためのネジ孔が設けられており、これを利用して図３、図４に示すように、ネジ５Ａで支持枠体２を止めるのである（裏面の二箇所）。
そして、前記支持枠体２への固定金具４の取り付けは、前記底枠体２Ｂの裏面側において、幅方向にスライド可能な可動枠体２Ｆに前記固定金具４をネジ止めすることで、この可動枠体２Ｆを収容する受け枠２Ｅに沿って移動させ、幅方向における位置を調整して、所定の自動販売機１０の幅に適応させ、その背面のネジ孔に対する位置決めが容易に行い得るようにされている。そして、前記固定金具４には、前記ネジ５Ａを挿通するネジ孔が複数（ここでは３箇所）形成されていて、更に、前記ネジ孔に合致させ易いように選択的に使用可能に構成されている。同様に、自動販売機１０の奥行きの調節についても、可動枠体２Ｆと受け枠２Ｅとの構造でスライド調節される。
【００１７】  そして、前記固定枠体３は、前記自動販売機の左右方向に伸びて底面に接当する底部支持部材３Ａと、この自動販売機の左右側面に接当する側面部材３Ｂ，３Ｂとからなり、該側面部材３Ｂ，３Ｂは、前記支持枠体２と底部支持部材３Ａとの連結状態（緊締状態）を調節する調節機構７を備えている。
この調節機構７は、ここでは、前記側面部材３Ｂ，３Ｂをロッドで構成し、その両端部に長目のネジ部を設けて、ここにナットを羅合させ、このナットの締め具合を調節して、連結状態（長さ）を調整するように構成されている。従って、この構造に代え、長さ調整が可能なターンバックルをその側面部材３Ｂ，３Ｂに適用するようにしても同じ作用を得ることができる。
【００１８】  また、図５に示すように、前記支持枠体２と前記連結部材６，６とはスライド自在に嵌合される構造とされており、自動販売機１０の幅に合わせた任意の位置でネジ５Ｂにより位置固定されるように構成されている。
前記連結部材６，６は、具体的には、前記支持枠体２の底部に外角材が幅方向に設けられていて、この外角材にスライド可能に内嵌された内角材として設けられたものであって、その左右方向への抜き差しによって自動販売機１０の幅に対応させた幅方向の長さが調節できるように構成されている。
【００１９】  前記連結部材６，６の内角材と前記支持枠体２の外角材は、自動販売機１０の設置現場において、その左右方向において自動販売機１０の幅に合わせて夫々長さ調節された後に、その左右の外角材と内角材とを、ドリルで貫通させてネジ孔を夫々形成し、ここにネジ５Ｂを挿入して締め付けることで、位置固定する。
また、この支持枠体２の外角材の外側には、アングル材２Ｇが溶接（ロウ付け）で固定され、そのアングル材２Ｇにネジ孔が形成されて、このアングル材２Ｇを自動販売機１０の天井部にネジ５Ｃで止め付けるようにされている（天井部４箇所）。
【００２０】  図６に示すように、自動販売機１０の上に設置された支持枠体２に、その上側部１Ａが着脱自在に固定されて垂下されたシート状の広告体１の捲れ防止具は、前記支持枠体２の裏面に位置され、その上部８Ａが前記支持枠体２の上辺部２Ｈに着脱自在にネジ（ここでは一箇所）で固定され、その下部８Ｂが前記広告体１の下側部１Ｂに着脱自在に弾性嵌合によって係止される可撓性のあるシート状補強ガイド体８からなる。この場合、シート状補強ガイド体８の上部８Ａは、Ｌ型取り付け部材８Ｃ（アングル材）に対して、シート状の広告体１を両面テープ８Ｅでもって固定するように構成され、このＬ型取り付け部材８Ｃがネジ８Ｄでもって前記支持枠体２の上辺部２Ｈに固定されているのである。従って、場合によっては、ネジ８Ｄを外さなくても、その両面テープの剥離でもって、シート状補強ガイド体８を前記支持枠体２から外すことが可能である。
【００２１】  そして、前記広告体１の下側部１Ｂに、棒状の保持部材９が設けられ、前記補強ガイド体８の下部８Ｂには、合成樹脂成形の弾性挟持可能な略Ｕ字状の挟持部８Ｆが備えられている。これにより、前記保持部材９を挟持状態で保持できるので、広告体１の取り替えに際しては、容易に取り外しができる。この場合にも、前記の挟持部８Ｆは、前記補強ガイド体８を挟み込む状態で、両面テープ８Ｅで固定されている。
【００２２】  更に、前記シート状補強ガイド体８が、この実施例では、透明乃至半透明のポリカーボネイトのシート状体で帯状（幅１００ｍｍ程度、上下長さ６００ｍｍ程度）に形成されている。これにより、風に対する十分な撓みを得ながら、風を前方に逃がしつつ、補強機能を発揮できて、且つ、軽量であるのでシート状の広告体１の負担にならず、取り扱いが容易である。その素材については、他の合成樹脂シートでもよく、また、前面の広告体１に対して影響（黒色などの濃い色彩で、広告体が光透過性である場合に、広告に色彩変化をもたらさない）がない程度であれば、透明でなくともよい。
尚、前記シート状補強ガイド体８は、所定幅のものを、２本、３本というように複数本、間隔をもって並べて設置してもよいものである。
【産業上の利用分野】
【００２３】  本考案は、既設の自動販売機の上部空間を利用した広告体について、その捲れによる広告体の機能不全を防止しながら、風を逃がすことができて、支持枠体に対する変形、倒伏を防いで常に広告機能を発現でき、その応用範囲は広い。
【符号の説明】
【００２４】１：広告体
１Ａ：広告体の上側部
１Ｂ：広告体の下側部
２：支持枠体
８：シート状補強ガイド体
８Ａ：シート状補強ガイド体の上部
８Ｂ：シート状補強ガイド体の下部
８Ｆ：挟持部
９：保持部材
【図１】
0003165986.tif 000003
【図２】
0003165986.tif 000004
【図３】
0003165986.tif 000005
【図４】
0003165986.tif 000006
【図５】
0003165986.tif 000007
【図６】
0003165986.tif 000008
【図７】
0003165986.tif 000009